(57)【要約】      （修正有）【課題】高温の車内等において好適に使用される冷却風発生装置を提供する。【解決手段】上方が開放するボックス本体３と、ボックス本体３の開放部分を密閉するように開閉可能に取り付けられる蓋体５と、ボックス本体３の上縁に沿って周囲が当接するように配置され、その一部に空気吸入用ファンを備え、かつ、上下方向に連通する通気開口２３を備えるプレート体７が設けられ、ボックス本体３のプレート体７の下部の収納空間２５に、冷却物体が収納されて使用される。【選択図】図２
0003224504.tif 000002
【実用新案登録請求の範囲】
【請求項１】
上方が開放するボックス本体と、
前記ボックス本体の前記開放部分を密閉するように開閉可能に取り付けられる蓋体と、
前記ボックス本体の上縁に沿って周囲が当接するように配置され、その一部に空気吸入用ファンを備え、かつ、上下方向に連通する通気開口を備えるプレート体が設けられ、
前記ボックス本体の前記プレート体の下部の収納空間に、冷却物体が収納されて使用されることを特徴とする冷却風発生装置。
【請求項２】
前記空気吸入用ファンの上面に、熱降下用塗料が付された通気体が取り付けられてなる請求項１記載の冷却風発生装置。
【請求項３】
前記熱降下用塗料として、「熱交換塗料」（商標  アルバ―工業株式会社）を用いる請求項２記載の冷却風発生装置。
【請求項４】
前記空気吸入用ファンが前記プレート体の一方側に設けられ、前記通気開口が前記プレート体の他方側の縁部に切り欠き状に設けられ、前記空気吸入用ファンと前前記通気開口の間位置に前記空気吸入用ファンの駆動電池が設けられている請求項４記載の冷却風発生装置。
【考案の詳細な説明】
【技術分野】
【０００１】  この考案は、自動車等において使用する冷却風発生装置に関する。
【背景技術】
【０００２】  例えば、車でコンビニエンスストア等に停車した場合、通常アイドリングを停止することが望まれるが、夏季の日照が強い場合には冷房が切れることで短時間のうちに車内が高温となる。また、トラックで物品を配送する場合も、停車して時間待ちする場合が有り、アイドリングができない場合はやはり運転席が短時間で高温となる。
【考案の概念】
【考案が解決しようとする課題】
【０００３】  この考案は上記の事情に鑑みておこなったもので、高温の車内等において好適に使用される冷却風発生装置を提供することを目的とする。
【課題を解決するための手段】
【０００４】  この考案では、上方が開放するボックス本体と、前記ボックス本体の前記開放部分を密閉するように開閉可能に取り付けられる蓋体と、前記ボックス本体の上縁に沿って周囲が当接するように配置され、その一部に空気吸入用ファンを備え、かつ、上下方向に連通する通気開口を備えるプレート体が設けられ、前記ボックス本体の前記プレート体の下部の収納空間に、冷却物体が収納されて使用されることを特徴とする冷却風発生装置を提供する。
【０００５】  上記構成によれば、収納空間内に冷却物体を収納する状態において、蓋体を開き空気吸入用ファンを回転作動させると、収納空間内に外気が導入され、この導入空気圧により収納空間内の冷気が通気開口から排出される。冷却風発生装置は収納空間に冷凍、冷蔵物品を収納してクーラーボックスとしても用いられる。
【０００６】  空気吸入用ファンの上面に、熱降下用塗料が付された通気体が取り付けられてなる構成とすることで、空気吸入用ファンの収納空間内への導入空気の温度が低下され、導入空気温度が低くなることで冷気の排出が効率良く行われる。熱降下用塗料としては、「熱交換塗料」（商標  アルバ―工業株式会社）が好適に用いられる。
【０００７】  さらには、空気吸入用ファンがプレート体の一方側に設けられ、通気開口がプレート体の他方側の縁部に切り欠き状に設けられ、空気吸入用ファンと通気開口の間位置に空気吸入用ファンの駆動電池が設けられている構成とされることで、ボックス本体にプレート体を組み込むことで、冷却風発生装置が組み立て容易に制作される。
【考案の効果】
【０００８】  この考案によれば、クーラーボックスとしても使用可能で、高温の車内等において冷却風が容易、且つ、迅速に得られる冷却風発生装置が得られる。
【図面の簡単な説明】
【０００９】
【図１】  この考案の冷却風発生装置の実施形態の外観斜視図
【図２】  この考案の冷却風発生装置の実施形態の組み立て説明外観斜視図
【図３】  この考案の冷却風発生装置の実施形態の動作説明構成図
【考案を実施するための形態】
【００１０】  図１はこの考案の冷却風発生装置の蓋体を開いた状態の外観斜視図であり、冷却風発生装置１は、上方が開放する平面形状を長方形とするボックス本体３と、ボックス本体３の上方開放部分を密閉するように蝶番により開閉可能に取り付けられる蓋体５と、図２に示すように上方から篏合装着されてボックス本体３の上縁に沿ってその周囲が密接するように配置されるプレート体７とから構成される。ボックス体３と蓋体５はともに内部に断熱空間を持つプラスチック材により構成される。
【００１１】  プレート体７は、ベースプレート８上に複数層よりなる断熱材１１が積層固定されて構成され、その一方側には、図３にも示すように、平面形状正方形の空気吸入用ファン部材１３が篏合装着されている。空気吸入用ファン部材１３は通気性のケーシング１５内にファンモータ（空気吸入用ファン）１７が取り付けられて構成され、ファンモータ１７の上面には通気性の網体１９（通気体）が取り付けられている。網体１９としては表裏の全体に熱降下用塗料（「熱交換塗料」商標  アルバ―工業株式会社）が塗布されたものを使用している。ベースプレート８には、ファンモータ１７に相対する位置に円形の通風穴が設けられている。ベースプレート８の空気吸入用ファン部材１３の側位置にはファンモータ１７の駆動用電池２０が断熱材１１に嵌設配置されている。駆動用電池２０は途中にスイッチが取り付けられたリード線２２によりファンモータ１７に接続されている。
【００１２】  また、プレート体７の駆動用電池２０の外側縁位置には、ベースプレート８と断熱材１１とが三角形状に連続して切り欠かれ構成される一対の上下方向に連通する通気開口２３が設けられている。ボックス本体３のプレート体７の下部は冷却物体２７の収納空間２５とされている。
【００１３】    以下、冷却風発生装置１の動作を、図３を参照して説明する。収納空間２５内に飲料などを凍らせたボトルや容器等の冷却物体２７を収納する状態において、蓋体５を開きフォンモータ１７を回転作動させると、矢印で示すように空気吸入用ファン部材１３を通して収納空間２５内に外気が導入され、この導入空気圧により収納空間２５内の冷気が通気開口２３のそれぞれから排出され、例えば車内空間に冷気が迅速に提供される。
【００１４】  その際、通気開口２３が空気を導入するフォンモータ１７から遠くに位置していることで、導入空気が通気開口２３に直接到りにくく、これにより、冷気が効率良く排出される。さらに、網体１９として表裏の全体に熱降下用塗料が塗布されたものを使用していることで、その網体１９の通過時に導入される外気の温度が３℃程度冷却され（実験により確認）、これにより導入空気温度が低くなることで冷気の排出が効率良く行われる。
【符号の説明】
【００１５】１    冷却風発生装置
３    ボックス本体
５    蓋体
７    プレート体
１１  ファンモータ（空気吸入用ファン）
１９  網体（通気体）
２３  通気開口
２５  収納空間
２７  冷却物体
【図１】
0003224504.tif 000003
【図２】
0003224504.tif 000004
【図３】
0003224504.tif 000005
【手続補正書】
【提出日】令和1年10月8日(2019.10.8)
【手続補正１】
【補正対象書類名】実用新案登録請求の範囲
【補正対象項目名】全文
【補正方法】変更
【補正の内容】
【実用新案登録請求の範囲】
【請求項１】
上方が開放するボックス本体と、
前記ボックス本体の前記開放部分を密閉するように開閉可能に取り付けられる蓋体と、
前記ボックス本体の上縁に沿って周囲が当接するように配置され、その一部に空気吸入用ファンを備え、かつ、上下方向に連通する通気開口を備えるプレート体が設けられ、
前記ボックス本体の前記プレート体の下部の収納空間に、冷却物体が収納されて使用されることを特徴とする冷却風発生装置。
【請求項２】
前記空気吸入用ファンの上面に、熱降下用塗料が付された通気体が取り付けられてなる請求項１記載の冷却風発生装置。
【請求項３】
前記空気吸入用ファンが前記プレート体の一方側に設けられ、前記通気開口が前記プレート体の他方側の縁部に切り欠き状に設けられ、前記空気吸入用ファンと前前記通気開口の間位置に前記空気吸入用ファンの駆動電池が設けられている請求項１または２記載の冷却風発生装置。